(57)【要約】      （修正有）【課題】安全性に優れた大型の安全帯用フックを提供する。【解決手段】フック本体１０に、開閉レバー２０と、操作レバー３０を設ける。揺動可能なロックレバー４０と、その操作片部５１を握ることにより揺動して、ロックレバー４０を連動して係合解除位置に向けて揺動させる解除レバー５０を設ける。ロックレバー４０の一端部に開閉片部２１の先端部外周に対して係脱可能な係合部４１を設け、他端部に操作レバー３０に設けられた係合ピン４３に対して係脱可能な凹段部４２を設ける。ロックレバー４０が係合解除位置に向けて揺動して係合部４１が係合解除しても、開閉レバー２０の開閉片部２１の先端部内周に形成された係合凹部２５と基板部１３に設けられたリベット１５ｂとが係合する構成として、フック本体１０の鉤部に作用する落下時の衝撃力を係合凹部２５とリベット１５ｂの係合部で受け、鉤部の変形、損傷を防止して、安全性を確保する。【選択図】図３
2015080548.tif 000002
【特許請求の範囲】
【請求項１】
鉤部を先端部に有し、その鉤部の後端部に基板部が連設された一対の側枠を、対向部間に間隔をおいて互いに連結したフック本体と、
そのフック本体の鉤部開口を開閉する開閉片部を先端部に有し、その開閉片部の後端部に反転部が連設され、その反転部の後端部に連動片部が連設され、前記開閉片部の後端部が前記鉤部の先端部に回動自在に支持されて、前記側枠間で揺動可能な開閉レバーと、
前記フック本体の基板部に形成された操作窓に操作片部が臨み、その操作片部を握る操作により前記基板部間において揺動される解除レバーと、
前記基板部の背側に設けられて基板部間に向けて揺動可能な支持とされ、弾性部材により基板部の背側から離反する待機位置に向けて付勢された操作レバーと、
前記操作レバーの前記基板部間に向けての揺動に連動して前記開閉レバーを鉤部の開口が開放する方向に揺動させる連動手段と、
両端間の長さ方向中央部を中心にして回動自在に支持され、前記基板部の腹側に位置する一端部に前記開閉レバーの閉鎖状態で開閉片部の先端部外側に対して係脱可能な係合部が設けられ、他端部に前記操作レバーに設けられた係合ピンに係合可能な凹段部が設けられ、前記解除レバーの揺動に連動して開閉片部および係合ピンに対しての係合が解除する方向に揺動するロックレバーと、
前記ロックレバーをロック方向に向けて付勢する弾性部材と、
を有してなり、
前記基板部に突起部を設け、前記開閉レバーにおける開閉片部の先端部内側に前記突起部が嵌合可能な係合凹部を設けた安全帯用フック。
【請求項２】
前記連動手段が、前記連動片部に形成された長孔と、前記操作レバーの揺動側端部に設けられて前記長孔内にスライド自在に挿入された連動ピンからなる請求項１に記載の安全帯用フック。
【請求項３】
前記開閉レバーにおける反転部の内周に、その開閉レバーがフック本体の鉤部の開口を開放する状態で、開閉レバーの揺動中心より内側の位置に頂点部を形成する曲線状の凹部を形成した請求項１又は２に記載の安全帯用フック。
【請求項４】
前記開閉レバーの閉鎖状態において、その開閉レバーのフック本体の一対の側板により隠蔽される部位に、開閉レバーが不完全に閉鎖する状態で外部に露出する表示部を設けた請求項１乃至３のいずれか１項に記載の安全帯用フック。
【発明の詳細な説明】
【技術分野】
【０００１】
この発明は、高所作業時に装着される安全帯のフックに関する。
【背景技術】
【０００２】
高所作業時に装着される安全帯にはハーネス型や胴ベルト型があり、いずれの安全帯もランヤード（命綱）が接続され、そのランヤードの先端部に取り付けられたフックを構築物に係合し、作業者が万一足を踏み外した場合に、ランヤードで受け止めて墜落を阻止し、安全性を確保することが行われている。
【０００３】
近年、安全帯用のフックにおいては、鉤部の有効径が大きい大型のものが求められている。このような大型のフックも含めて、安全帯に用いられるフックは、墜落阻止時の衝撃に耐え得る強度が必要なため、普通、鋼により形成して強度を確保している。
【０００４】
ところで、鋼製の安全帯用フックにおいて、鉤部の口径が大きい大型のものでは重量も重くなるため、取り扱いが困難になる。そのような問題点を解決するため、本件の発明者は、特許文献１において、軽量、コンパクトな安全帯用フックを提案している。
【０００５】
ここで、上記特許文献１に記載された安全帯用フックにおいては、フック部の先端部に設けられた鉤部の先端部で開閉片を揺動自在に支持し、上記フック部の基部に下端部が回動自在に支持された開放片の上端部に係止ピンを設け、その係止ピンを開放片の閉止部の先端部に形成された係合凹部に係合して開閉片をフック部の鉤部開口を閉鎖する状態に保持している。
【０００６】
また、フック部の基部に把持片の下端部を回動自在に支持し、その把持片の上端部に設けられた摺動ピンを開閉片の連動部に形成された長溝内にスライド自在に挿入し、上記把持片のフック部に向けての揺動に連動して開閉片を開放方向に揺動させ、鉤部の開口を開放するようにしている。
【０００７】
さらに、フック部の基部にストッパの長さ方向の中央部を回動自在に支持し、そのストッパの一端部に設けられたピンを開閉片の閉止部先端の外側面に係合させて開閉片を閉鎖状態に保持し、かつ、ストッパの他端部に形成した段部を把持片に設けられたストッパピンに係合させて把持片を揺動不能なロック状態に保持しており、フック部、開閉片および他のすべての部品をアルミニウムで形成して軽量化を図るようにしている。
【先行技術文献】
【特許文献】
【０００８】
【特許文献１】特開２００６−７５３４５号公報
【発明の概要】
【発明が解決しようとする課題】
【０００９】
ところで、特許文献１においては、開放片が一対のフランジを有し、そのフランジに指先を係合して開放片を係合解除位置に向けて揺動させる構成であり、その揺動操作用のフランジが側方に張り出しているため、安全帯用フックを構築物に係合する使用状態において、上記フランジにランヤードや障害物が係合し、引張り力の負荷により、開放片が意に反して係合解除位置に向けて揺動させられる場合がある。
【００１０】
このとき、係止ピンと係合凹部の係合が解除すると共に、ストッパの一端部に設けられたピンが開閉片の閉止部先端の外側面に対して係合解除して開閉片は開閉可能なフリー状態となるため、万一足を踏み外すと、開閉片が開放方向に揺動し、その開閉片に極めて大きな衝撃力が負荷されて損傷し、ときには変形して構築物に対する係合が解除する可能性があり、安全性を高める上において改善すべき点が残されている。
【００１１】
また、開閉片の開放状態において、その開閉片の内周における頂点部は、開閉片の揺動中心のほぼ直下に位置するため、開閉片を開放状態にして構築物に係合した場合、開閉片における内周の頂点部付近に構築物が係合して、開閉片に閉鎖方向への回転モーメントが作用せず、開閉片を閉鎖させることができない事態が生じる。このため、構築物に対する開閉片の係合後、開閉片の閉鎖片を構築物に押し当てて開閉片を閉鎖方向に揺動させる必要が生じ、操作が煩わしく、その操作性を高める上において改善すべき点が残されている。
【００１２】
この発明の課題は、フック本体の鉤部を開閉する開閉レバーのロックおよびロック解除を行う解除レバーが意に反して解除方向に揺動されるのを防止し、仮に解除方向に揺動された場合でも、開閉レバーを閉鎖状態に保持できるようした安全性に優れた大型の安全帯用フックを提供することである。
【課題を解決するための手段】
【００１３】
上記の課題を解決するために、この発明においては、鉤部を先端部に有し、その鉤部の後端部に基板部が連設された一対の側枠を、対向部間に間隔をおいて互いに連結したフック本体と、そのフック本体の鉤部開口を開閉する開閉片部を先端部に有し、その開閉片部の後端部に反転部が連設され、その反転部の後端部に連動片部が連設され、前記開閉片部の後端部が前記鉤部の先端部に回動自在に支持されて、前記側枠間で揺動可能な開閉レバーと、前記フック本体の基板部に形成された操作窓に操作片部が臨み、その操作片部を握る操作により前記基板部間において揺動される解除レバーと、前記基板部の背側に設けられて基板部間に向けて揺動可能な支持とされ、弾性部材により基板部の背側から離反する待機位置に向けて付勢された操作レバーと、前記操作レバーの前記基板部間に向けての揺動に連動して前記開閉レバーを鉤部の開口が開放する方向に揺動させる連動手段と、両端間の長さ方向中央部を中心にして回動自在に支持され、前記基板部の腹側に位置する一端部に前記開閉レバーの閉鎖状態で開閉片部の先端部外側に対して係脱可能な係合部が設けられ、他端部に前記操作レバーに設けられた係合ピンに係合可能な凹段部が設けられ、前記解除レバーの揺動に連動して開閉片部および係合ピンに対しての係合が解除する方向に揺動するロックレバーと、前記ロックレバーをロック方向に向けて付勢する弾性部材とを有してなり、前記基板部に突起部を設け、前記開閉レバーにおける開閉片部の先端部内側に前記突起部が嵌合可能な係合凹部を設けた構成を採用したのである。
【００１４】
上記の構成からなる安全帯用フックにおいて、操作窓に指先を挿入し、解除レバーの操作片部を握る操作によって解除レバーを解除方向に揺動させると、その解除レバーの揺動に連動してロックレバーが係合解除方向に揺動し、係合部が開閉片部の先端部外側に対して係合解除する。
【００１５】
また、ロックレバーの係合解除方向の揺動により係合ピンに対する凹段部の係合が解除し、操作レバーを揺動操作し得る状態となる。そこで、解除レバーの操作片部と操作レバーとを握り締める操作により、操作レバーを基板部間に向けて揺動させると、その揺動に連動して開閉レバーが揺動し、その開閉レバーの開閉片部が外方に向けて揺動してフック本体の鉤部が開放状態とされる。
【００１６】
上記のようなフック本体の鉤部の開放状態において、開閉レバーの開閉片部を、例えば、構築物としての足場枠のパイプに係合すると、開閉片部の内周がパイプに沿って移動して反転部の内周がパイプと接触する。パイプが開閉レバーの内側に納まる状態において、操作レバーおよび解除レバーの握りを解除すると、弾性部材の復元弾性力により操作レバーが基板部から離反する待機位置に向けて揺動し、その揺動に連動して開閉レバーも揺動して、開閉片部が鉤部の開口を閉鎖する。
【００１７】
また、ロックレバーも弾性部材の復元弾性により係合位置に向けて揺動し、係合部が開閉片部の先端部外周に係合して開閉レバーを閉鎖位置でロックすると共に、凹段部が操作レバーの係合ピンに係合して、操作レバーを待機位置でロックし、フック本体はパイプに係合する状態に保持される。
【００１８】
この発明に係る安全帯用のフックにおいては、開閉レバーを閉鎖位置でロックするロックレバーのロック解除に際し、操作窓に指先を挿入し、一対の基板部間に組み込まれた解除レバーの操作片部を握り締める必要があるため、障害物に対する引っ掛かり等によって解除レバーが揺動操作されるようなことは殆どなく、意に反して、解除レバーが解除操作されることはない。
【００１９】
仮に、解除レバーが解除操作され、その解除レバーに連動して揺動するロックレバーの係合部が開閉片部の先端部外周に対して係合解除しても、開閉片部の先端部内周に形成された係合凹部は基板部に設けられた突起部に係合する状態にあるため、作業者が万一足を踏み外してフック本体の鉤部に衝撃力が負荷されたとしても、その衝撃力は係合凹部と突起部の係合部で受けられることになる。このため、鉤部が変形し、あるいは、損傷するという不都合の発生はなく、パイプに対する係合状態を確保し極めて安全である。
【００２０】
この発明に係る安全帯用フックにおいて、操作レバーの揺動に連動して開閉レバーを揺動させる連動手段として、連動片部に形成された長孔と、操作レバーの揺動側端部に設けられて上記長孔内にスライド自在に挿入された連動ピンからなるものを採用することができる。
【００２１】
ここで、開閉レバーにおける反転部の内周に、その開閉レバーがフック本体の鉤部の開口を開放する状態で、開閉レバーの揺動中心より内側の位置に頂点部を形成する曲線状の凹部を形成しておくと、開放状態とされた開閉レバーの開閉片部をパイプに係合してフック本体を引き下げると、開閉片部の内周がパイプの外周一部に沿って下方に移動し、凹部がパイプに対向すると、フックが停止する。  
【００２２】
このとき、凹部とパイプの係合位置は開閉レバーの揺動中心より内側であるため、フック本体に小さな引下げ力を付与することにより、開閉レバーに閉鎖方向への回転モーメントが負荷されるため、開閉レバーを閉鎖位置にスムーズに戻すことができ、係合時の操作性を向上させることができる。
【００２３】
なお、操作レバーを待機位置に向けて付勢する弾性部材として、フックの全体を引き上げ可能な大きさの弾性力を有するものを採用することによって、凹部の内周にパイプが係合する状態から開閉レバーを閉鎖位置に自動的に戻すことができる。
【００２４】
また、開閉レバーの閉鎖状態において、その開閉レバーのフック本体の一対の側板によって隠蔽される部位に、開閉レバーが不完全に閉鎖する状態で外部に露出する表示部を設けておくと、その表示部の視認によって開閉レバーが完全に閉鎖しているかどうかの確認を行うことができる。ここで、表示部は着色されたものであってもよく、ラベルの貼付によるものであってもよい。
【発明の効果】
【００２５】
この発明においては、上記のように、ロックレバーをロック解除させる場合に、基板部に形成された操作窓に指先を挿入し、解除レバーの操作片部を握り締める必要があるため、障害物に対する引っ掛かり等によって解除レバーが揺動操作されるようなことは殆どなく、解除レバーが意に反して解除操作されるという不都合の発生はない。
【００２６】
仮に、解除レバーが解除操作され、その解除レバーに連動して揺動するロックレバーの係合部が開閉片部の先端部外周に対して係合解除したとしても、開閉片部の先端部内周に形成された係合凹部が基板部に設けられた突起部に係合する状態にあるため、万一作業者が足を踏み外してフック本体の鉤部に衝撃力が負荷されたとしても、その衝撃力は係合凹部と突起部の係合部で受けられることになり、鉤部が変形し、あるいは、損傷するという不都合の発生はなく、構築物に対する係合状態を確保し、極めて安全である。
【図面の簡単な説明】
【００２７】
【図１】この発明に係る安全帯用フックの実施の形態を示す正面図
【図２】図１の右側面図
【図３】図１に示す安全帯用フックの縦断面図
【図４】図３に示される解除レバー、ロックレバー、操作レバーを示す分解斜視図
【図５】開閉レバーの開放状態を示す縦断面図
【図６】図５の一部を示す拡大断面図
【発明を実施するための形態】
【００２８】
以下、この発明の実施の形態を図面に基づいて説明する。図１乃至図４に示すように、安全帯用フックは、フック本体１０と、そのフック本体１０に形成された鉤部１２を開閉する開閉レバー２０と、その開閉レバー２０を開閉操作する操作レバー３０を有している。
【００２９】
また、安全帯用フックは、図３に示すように、開閉レバー２０を閉鎖位置でロックし、かつ、操作レバー３０を待機位置でロックするロックレバー４０およびそのロックレバー４０をロック解除位置に向けて揺動させる解除レバー５０を有している。
【００３０】
図１および図２に示すように、フック本体１０は、アルミ合金を素材とする一対の側枠１１からなる。一対の側枠１１は、先端部に鉤部１２を有し、その鉤部１２の後端部に基板部１３が設けられている。一対の側枠１１は、間隔をおいて対向配置され、基板部１３の下端部間に補強板１４を挟み込む状態において、側枠１１のそれぞれを貫通する複数のリベット１５の端部の加締めにより互いに連結されている。
【００３１】
また、一対の側枠１１における基板部１３のそれぞれには操作窓１６が設けられ、その操作窓１６の下側において上記補強板１４を貫通するようにしてロープ連結孔１７が設けられている。
【００３２】
図３に示すように、開閉レバー２０は、フック本体１０と同様に、アルミ合金を素材としている。この開閉レバー２０はフック本体１０の鉤部１２開口を開閉する開閉片部２１を先端部に有し、その開閉片部２１の後端部に反転部２２が連設され、その反転部２２の後端部に連動片部２３が連設された構成とされている。
【００３３】
開閉レバー２０は、フック本体１０の鉤部１２の先端部間に設けられたリベット１５ａにより開閉片部２１の後端部が回動自在に支持され、そのリベット１５ａを中心にして揺動自在に支持されており、上記開閉片部２１が鉤部１２の開口を閉鎖する状態において、反転部２２および連動片部２３のそれぞれがフック本体１０の一対の側枠１１間に収容されるようになっている。
【００３４】
開閉レバー２０の反転部２２には表示部２４が設けられている。表示部２４は、開閉レバー２０の閉鎖状態において側枠１１により隠蔽され、上記開閉レバー２０が不完全に閉鎖していると、外部に露出する。したがって、表示部２４の視認により、開閉レバー２０が完全に閉鎖しているかどうかを確認することができる。
【００３５】
表示部２４として、ここでは、色付きのラベルを張り付けるようにしているが、開閉レバー２０に塗料を用いて着色してもよい。
【００３６】
また、開閉レバー２０における開閉片部２１の先端部内周には係合凹部２５が向けられている。係合凹部２５は、開閉レバー２０の閉鎖状態において基板部１３の腹側の側部間に設けられた突起部としてのリベット１５ｂに嵌合可能とされている。
【００３７】
さらに、開閉レバー２０における反転部２２の内周には凹部２６が形成されている。凹部２６の内周は、図５に示すように、開閉レバー２０がフック本体１０の鉤部１２の開口を開放する状態で、開閉レバー２０の揺動中心となるリベット１５ａより内側の位置に頂点部ａを形成するようになっている。
【００３８】
図３に示すように、操作レバー３０は、操作板部３１の両側に対向一対の側板部３２を設けた構成とされ、アルミ合金を素材としている。操作レバー３０は側板部３２の下端部がフック本体１０における基板部１３の腹側の側部間に設けられたリベット１５ｃにより回動自在に支持され、そのリベット１５ｃを中心にフック本体１０の側枠１１間に向けて揺動自在とされている。
【００３９】
リベット１５ｃには捩じりばねからなる弾性部材３３が支持されている。弾性部材３３は操作レバー３０を基板部１３から離反する待機位置に向けて付勢している。
【００４０】
操作レバー３０と開閉レバー２０の相互間には、操作レバー３０の揺動に連動して開閉レバー２０を揺動させる連動手段３５が設けられている。
【００４１】
連動手段３５は、開閉レバー２０の連動片部２３に形成された長孔３６と、操作レバー３０の揺動側端部に設けられて上記長孔３６内にスライド自在に挿入された連動ピン３７からなり、操作レバー３０を基板部１３に向けて揺動させると、開閉レバー２０が鉤部１２の開口が開放する方向に揺動する。
【００４２】
図３および図６に示すように、ロックレバー４０は、一対の側枠１１における基板部１３の対向部間において操作窓１６とロープ連結孔１７間に組み込まれ、その長さ方向の中央部が操作窓１６とロープ連結孔１７の間に設けられたリベット１５ｄにより回動自在に支持されて、そのリベット１５ｄを中心にして揺動自在とされている。
【００４３】
ロックレバー４０は、アルミ合金からなり、基板部１３の腹側に位置する一端部にはピンからなる係合部４１が設けられている。係合部４１は開閉レバー２０の閉鎖状態で開閉片部２１の先端部外側に対して係脱自在とされおり、その係合によって開閉レバー２０を閉鎖状態に保持するようになっている。
【００４４】
また、ロックレバー４０の上記基板部１３の背側に位置する他端部には凹段部４２が設けられている。凹段部４２は、操作レバー３０の下端部に設けられた係合ピン４３に対して係脱自在とされ、その係合によって操作レバー３０を待機位置で保持して、基板部１３側に揺動するのを阻止するようになっている。
【００４５】
係合ピン４３は操作レバー３０の側面から側方に突出し、その突出部が基板部１３に形成された弧状孔４５内に挿入されている。
【００４６】
ロックレバー４０の揺動中心となる上記リベット１５ｄには捩じりばねからなる弾性部材４４が支持されている。弾性部材４４はロックレバー４０を、係合部４１が開閉片部２１の先端部外側に係合し、かつ、凹段部４２が係合ピン４３に同時に係合する係合方向に向けて付勢する。この弾性部材４４の弾性力は操作レバー３０を付勢する前述の弾性部材３３の弾性力より弱くなっている、
【００４７】
図３乃至図６に示すように、解除レバー５０は、操作片部５１の一端部にアーム片部５２が連設されたＬ字状をなし、アルミ合金を素材としている。この解除レバー５０は一対の側枠１１における基板部１３の対向部間に組み込まれて操作片部５１が操作窓１６に臨み、基板部１３の腹側に延びるアーム片部５２の端部が一対の基板部１３を互いに連結する前述のリベット１５ｂにより回動自在に支持されて、そのリベット１５ｂを中心に揺動自在とされている。
【００４８】
解除レバー５０におけるアーム片部５２にはピン５３が設けられ、そのピン５３はロックレバー４０に形成された長孔５４内に挿入され、操作片部５１を握る操作により解除レバー５０の揺動に連動してロックレバー４０を係合解除位置に向けて揺動させるようになっている。
【００４９】
実施の形態で示す安全帯用フックは上記の構造からなり、図１に示す構築物としてのパイプＰに対する係合に際しては、開閉レバー２０の開閉片部２１がフック本体１０の鉤部１２を開放する方向に開閉レバー２０を揺動させ、その開閉レバー２０の開閉片部２１をパイプＰに係合させる。
【００５０】
開閉レバー２０の揺動に際しては、操作窓１６に指先を挿入して解除レバー５０の操作片部５１に指先を掛け、その操作片部５１と操作レバー３０とを同時に握り込むようにする。
【００５１】
このとき、解除レバー５０を係合位置に向けて付勢する弾性部材４４の弾性力は操作レバー３０を待機位置に向けて付勢する弾性部材３３の弾性力より弱いため、解除レバー５０が先に揺動する。
【００５２】
この際、解除レバー５０に設けられたピン５３がロックレバー４０に形成された長孔５４に挿入されているため、解除レバー５０の揺動に連動してロックレバー４０が解除位置に向けて揺動し、その揺動によって、図６に示すように、開閉レバー２０の開閉片部２１の先端部外側に対する係合部４１の係合が解除すると共に、操作レバー３０の係合ピン４３に対する凹段部４２の係合が解除する。
【００５３】
開閉片部２１の先端部外側に対する係合部４１の係合解除により開閉レバー２０は揺動可能な状態となり、また、係合ピン４３に対する凹段部４２の係合解除によって、操作レバー３０を揺動操作し得る状態となる。
【００５４】
上記のような解除レバー５０の揺動後、操作レバー３０が基板部１３間に向けて揺動する。この時、操作レバー３０と開閉レバー２０の相互間には長孔３６と連動ピン３７とからなる連動手段３５が設けられているため、操作レバー３０の揺動に連動して開閉レバー２０が揺動し、その開閉レバー２０の開閉片部２１が外方に向けて揺動して、図５に示すように、フック本体１０の鉤部１２が開放状態とされる。
【００５５】
上記のようなフック本体１０の鉤部１２の開放状態において、開閉レバー２０の開閉片部２１をパイプＰに係合して、フック本体１０を引き下げると、開閉片部２１の内周がパイプＰの外周に沿って下方に移動する。反転部２２の内周がパイプＰの外周に対向すると、その反転部２２の内周には凹部２６が設けられているため、凹部２６がパイプＰの外周上部に係合する。
【００５６】
ここで、開閉レバー２０の開放状態における凹部２６の頂点部ａは開閉レバー２０の揺動中心となるリベット１５ａの位置より内側に位置しているため、パイプPに対する凹部２６の係合状態で操作レバー３０および解除レバー５０の握りを解除してフック本体１０に引き下げ力を付与することにより、パイプPから凹部２６のパイプ係合部に押し上げ力が負荷され、開閉レバー２０に閉鎖方向への回転モーメントが負荷される。その回転モーメントの負荷により、開閉レバー２０が閉鎖位置に向けて揺動する。
【００５７】
また、操作レバー３０の握りの解除により、弾性部材３３の復元弾性によって操作レバー３０が基板部１３から離反する待機位置に向けて揺動し、その揺動に連動して開閉レバー２０は、開閉片部２１が鉤部１２の開口を閉じる方向に向けて揺動する。
【００５８】
このように、開閉レバー２０は、パイプＰからの押し上げと弾性部材３３の復元弾性とによって開閉片部２１が鉤部１２の開口を閉じる方向の回転モーメントが負荷されるため、開閉レバー２０を閉鎖位置にスムーズに戻され、係合凹部２５にリベット１５ｂが係合する。
【００５９】
上記のようにして開閉レバー２０が閉鎖位置に戻り、操作レバー３０が待機位置に戻ると、操作レバー３０に設けられた係合ピン４３がロックレバー４０の凹段部４２と上下で対向し、弾性部材４４の復元弾性によりロックレバー４０が係合位置に向けて揺動し、係合部４１が開閉片部２１の先端部外側に係合する。その係合によって開閉レバー２０が閉鎖位置に保持される。
【００６０】
また、凹段部４２が係合ピン４３に係合し、その係合によって操作レバー３０が待機位置に保持され、フック本体１０はパイプPに係合する状態に保持される。
【００６１】
実施の形態における安全帯用フックにおいては、開閉レバー２０を閉鎖位置でロックするロックレバー４０は、そのロック解除に際し、操作窓１６に指先を挿入し、解除レバー５０の操作片部５１を握り締める必要があるため、障害物に対する引っ掛かり等によって解除レバー５０が揺動操作されるようなことはなく、解除レバー５０が意に反して解除操作されることはない。
【００６２】
仮に、解除レバー５０が解除操作され、その解除レバー５０に連動して揺動するロックレバー４０の係合部４１が開閉片部２１の先端部外周に対して係合解除しても、開閉片部２１の先端部内周に形成された係合凹部２５は基板部１３に設けられた突起部としてのリベット１５ｂに係合する状態にあるため、作業者が万一足を踏み外してフック本体１０の鉤部１２に衝撃力が負荷されたとしても、その衝撃力は係合凹部２５とリベット１５ｂの係合部で受けられることになる。このため、鉤部１２が変形し、あるいは、損傷するという不都合の発生はなく、パイプＰに対する係合状態を確保し、極めて安全である。
【００６３】
ここで、開閉レバー２０が不完全に閉鎖していると、表示部２４が鉤部１２から外部に露出し、その表示部２４の視認によって開閉レバー２０が不完全に閉鎖していることを知ることができる。
【符号の説明】
【００６４】
１０  フック本体
１１  側枠
１２  鉤部
１３  基板部
１５ｂ  リベット（突起部）
１６  操作窓
２０  開閉レバー
２１  開閉片部
２２  反転部
２３  連動片部
２４  表示部
２５  係合凹部
３０  操作レバー
３３  弾性部材
３５  連動手段
３６  長孔
４０  ロックレバー
４１  係合部
４２  凹段部
４３  係合ピン
４４  弾性部材
５０  解除レバー
５１  操作片部
【図１】
2015080548.tif 000003
【図２】
2015080548.tif 000004
【図３】
2015080548.tif 000005
【図４】
2015080548.tif 000006
【図５】
2015080548.tif 000007
【図６】
2015080548.tif 000008